(57)【要約】【課題】突起を必要以上に増やすことなく洗浄或いはマッサージ効果を高めることができるようにする。【解決手段】可撓性を有する基板４及びこの表面４Ｓと交差する複数の突起５から成るブラシ部３を、駆動部としての電動式ブラシ装置本体２の枠体８及び往復駆動手段１２に保持させ、前記基板４の中央に接続した前記往復駆動手段１２によって、前記基板４をその表面４Ｓと交差する方向に繰り返し撓ませることで、前記各突起５を相互に繰り返し開閉させ、これらの突起５によって頭皮Ｓ等を洗浄又はマッサージする電動式ブラシ装置１であって、最も首振り角度が大きくなる突起群である第二突起列２２に属する前記突起５の密度を、他の同心状に設けられた突起群である突起列２１，２３，２４に属する前記突起５の密度よりも大きくしたことで、必要以上に前記突起５を増やすことなく、頭皮Ｓの洗浄或いはマッサージ効果を高めることができる。【選択図】図５
2010167048.tif 000002
【特許請求の範囲】
【請求項１】
駆動部と、この駆動部によって動作するブラシ部とを有し、このブラシ部が、可撓性を有する材質から成る基板と、この基板の表面に突出して設けられた複数の突起とで構成され、前記駆動部に、前記基板の周縁を保持する枠体と、前記基板の中央部に接続してこの基板の面と交差する方向にこの基板を撓ませる往復駆動手段を設けた電動式ブラシ装置において、
前記ブラシ部に複数の突起群を同心状に設けると共に、首振り角度が比較的大きい突起群の密度が大きくなるように、首振り角度が比較的小さい突起群の密度が小さくなるように構成したことを特徴とする電動式ブラシ装置。
【請求項２】
前記各突起群が、それぞれ前記基部の中心回りに定義された仮想輪線に沿って設けられた突起列であり、首振り角度が比較的大きい突起列が、前記仮想輪線に沿ってその外側及び内側に前記突起を交互に設けることで構成されることを特徴とする請求項１記載の電動式ブラシ装置。
【請求項３】
前記突起を棒状に形成すると共に、前記基部と前記各突起とを別体に構成し、これらの突起を前記基部に嵌合させたことを特徴とする請求項１又は２記載の電動式ブラシ装置。
【発明の詳細な説明】
【技術分野】
【０００１】
本発明は、電動式ブラシ装置に関するものであり、特に、頭皮の洗浄やマッサージ等に使用することができる電動式ブラシ装置に関するものである。
【背景技術】
【０００２】
従来、この種の電動式ブラシ装置として、駆動部と、この駆動部によって動作する施療部（本願発明のブラシ部に相当する）とを有し、前記駆動部に、前記施療部の基板の周縁を前記駆動部に対する位置関係が固定された状態で着脱自在に保持する枠体を設けると共に、前記基板の中心に接続して該基板の面と交差する方向にこの基板を撓ませる往復駆動手段を設け、前記施療部が、可撓性を有する材質から成る前記基板と、この基板に突出して設けられた複数の突起とで構成されるマッサージ装置が知られている。そして、このマッサージ装置は、マッサージの際に、前記往復駆動手段によって前記施療部の基板を撓ませることで、この基板の撓みに伴って、この基板に設けられた複数の前記突起を繰り返し倒したり起こしたりさせることで相互に開閉させ、この相互に開閉する突起によって、揉んだり擦ったり叩いたりするように、頭皮を複雑にマッサージすることができるものである。これは、図８及び図９に示すように、駆動部１０１により駆動される施療部１０２における基板１０３が下に撓んだ湾曲凸状態と上に撓んだ湾曲凹状態との間で変形を繰り返す際、中心側から周辺側に配置された複数種類の突起１０４，１０５，１０６，１０７が、前記基板１０３の撓みに伴って動くことで、頭皮Ｓに押し当てた前記突起１０４，１０５，１０６，１０７によって頭皮Ｓを指先で行うようにマッサージすることができるというものである。
【先行技術文献】
【特許文献】
【０００３】
【特許文献１】特開２００７−２２９１５９号公報
【特許文献２】特開２００８−２０６９０２号公報
【発明の概要】
【発明が解決しようとする課題】
【０００４】
従来技術においては、前記基板１０３の撓みに伴って、前記各突起１０４〜１０７が起倒を繰り返すことで頭皮Ｓをマッサージできればよいものであるが、特許文献２のような、前記基板１０３が自然状態において外側に凸となる形状の施療部１０２を用いた構造では、実際には、前記基板１０３の中心側の突起１０４と、前記基板１０３の周辺側の突起１０７と、これら中心側と周辺側の中間に設けられた突起１０５，１０６とでは、前記基板１０３が下に撓んだ湾曲凸状態と上に撓んだ湾曲凹状態との間で変形を繰り返す際の首振り角度がそれぞれ異なる。これには様々な要因が考えられる。考えられる第一の要因は、前記基板１０３が湾曲凸状態から湾曲凹状態に変形する際に、前記基板１０３が一様に撓むのではなく、前記基板１０３の中央から変形が始まり、徐々に周辺部に撓みが広がってゆくので、前記往復駆動手段の振幅によっては、前記基板１０３の撓みが突起１０７付近に達する前に上死点に到達してしまったり、前記突起１０７付近の前記基板１０３が小さく撓んだ段階で上死点に到達してしまったりすることで、周辺側の突起１０７の首振り角度が小さくなる傾向があることである。考えられる第二の要因は、前記基板１０３の外周に、リブ状の縁が形成されていることで、前記基板１０３の周辺側が撓みにくくなっているので、周辺側の突起１０７の首振り角度が小さくなる傾向があることである。考えられる第三の要因は、前記基板１０３の中心に近いほど、前記基板１０３の変形量が小さいので、前記基板１０３の中心側の突起１０４の首振り角度が小さくなる傾向があることである。この結果、前記基板１０３の中心側の突起１０４と周辺側の突起１０７の首振り角度は比較的小さく、中間部の突起１０５，１０６の首振り角度は比較的大きくなる傾向がある。このように、前記基板１０３の部位によって、前記各突起１０３〜１０７の首振り角度が異なることで、洗浄やマッサージ効果の向上を狙って突起数を増やしたとしても、部位によっては突起が殆ど動かず、期待した程の効果の向上がないという問題が起こり得た。
【０００５】
本発明が解決しようとする課題は、基板を繰り返し撓ませることで突起が繰り返し相互に開閉するブラシ部を有する電動式ブラシ装置において、突起を徒に増やすことなく洗浄或いはマッサージ効果を高めることができるようにすることである。
【課題を解決するための手段】
【０００６】
請求項１の発明は、駆動部と、この駆動部によって動作するブラシ部とを有し、このブラシ部が、可撓性を有する材質から成る基板と、この基板の表面に突出して設けられた複数の突起とで構成され、前記駆動部に、前記基板の周縁を保持する枠体と、前記基板の中央部に接続してこの基板の面と交差する方向にこの基板を撓ませる往復駆動手段を設けた電動式ブラシ装置において、前記ブラシ部に複数の突起群を同心状に設けると共に、首振り角度が比較的大きい突起群の密度が大きくなるように、首振り角度が比較的小さい突起群の密度が小さくなるように構成したことを特徴とする電動式ブラシ装置である。
【０００７】
請求項２の発明は、前記各突起群が、それぞれ前記基部の中心回りに定義された仮想輪線に沿って設けられた突起列であり、首振り角度が比較的大きい突起列が、前記仮想輪線に沿ってその外側及び内側に前記突起を交互に設けることで構成されることを特徴とする請求項１記載の電動式ブラシ装置である。
【０００８】
請求項３の発明は、前記突起を棒状に形成すると共に、前記基部と前記各突起とを別体に構成し、これらの突起を前記基部に嵌合させたことを特徴とする請求項１又は２記載の電動式ブラシ装置である。
【発明の効果】
【０００９】
請求項１の発明によれば、首振り角度が比較的大きい、即ち洗浄やマッサージの効果の大きい突起群の密度を大きくすることで、頭皮等を効果的に洗浄或いはマッサージすることができると共に、首振り角度が比較的小さい、即ち洗浄やマッサージ効果の小さい突起群の密度を小さくすることで、突起の数を抑制することができる。
【００１０】
また、前記各突起群を、それぞれ前記基部の中心回りに定義された仮想輪線に沿って設けられた突起列とし、首振り角度が比較的大きい突起列を、前記仮想輪線に沿ってその外側及び内側に前記突起を交互に設けることで、単純に仮想輪線に沿って各突起を並べる場合に比べて、首振り角度が比較的大きい突起列の突起数を多くしつつ、各突起間距離を比較的大きくすることができるので、前記ブラシ体を頭皮に沿って動かした際に、各突起間における毛髪等の通りが妨げられることを防止することができる。
【００１１】
更に、前記基板に対し、棒状の前記突起が嵌合していることで、前記各突起が前記基板の撓みに与える影響を最小限にすることができるので、密に設けられた前記突起群の突起を、大きな角度で確実に首振り運動させ、洗浄やマッサージ効果を向上させることができる。
【図面の簡単な説明】
【００１２】
【図１】本発明の実施例１を示す電動式ブラシ装置の斜視図である。
【図２】同、断面図である。
【図３】同、ブラシ部の斜視図である。
【図４】同、ブラシ部の断面図である。
【図５】同、ブラシ部の底面図である。
【図６】同、湾曲凸状態におけるブラシ部の説明図である。
【図７】同、湾曲凹状態におけるブラシ部の説明図である。
【図８】従来例を示す湾曲凸状態のブラシ部周りの断面図である。
【図９】従来例を示す湾曲凹状態のブラシ部周りの断面図である。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図１〜図７は実施例１を示している。なお、本例においては、図２の姿勢を基準として上下を規定する。１は本発明の電動式ブラシ装置である。この電動式ブラシ装置１は、駆動部としての電動式ブラシ装置本体２と、この電動式ブラシ装置本体２の下部側に着脱自在に保持されるブラシ部３とを有して構成されている。
【００１５】
そして、前記ブラシ部３は、基板４と、この基板４の表面４Ｓと交差する方向である下方側に突出して設けられた複数の突起５と、これらの突起５の内側に円環状に並んで設けられた複数の小突起６と、これらの小突起６同士を接続するように設けられた環状壁７とを有して構成されている。なお、前記小突起６の前記表面４Ｓからの突出寸法は、前記突起５の前記表面４Ｓからの突出寸法よりも小さく、また、前記環状壁７の前記表面４Ｓからの突出寸法は、前記小突起６の前記表面４Ｓからの突出寸法よりも小さい。更に、前記小突起６と環状壁７によって、前記基板４が内外に区画される。また、前記基板４は、平面視で楕円状であって、可撓性及び弾性を有するエラストマーによって形成されている。また、前記基板４は、自然状態において、外側に凸（即ち、湾曲凸状態）となっている。そして、前記基板４の縁４Ａは、前記電動式ブラシ装置本体２の底面部２Ｂ側に設けられた固定用の枠体８に固定されている。なお、ここで言う「固定」とは、多少の動きを許容して接続される状態を含むものであり、本実施例では、前記基板４の縁４Ａを前記枠体８に嵌合させることで、両者を全周に亘って着脱自在に接続している。なお、図中４Ｈは、前記基板４の長径方向の一端に、一体に設けられた摘みである。
【００１６】
前記電動式ブラシ装置本体２は、底面側が開口すると共に片手で把握可能な大きさを有するケース本体２Ａと、このケース本体２Ａの開口した底面側を閉塞する前記底面部２Ｂとを有して構成されている。この底面部２Ｂは、底板９と覆い体１１とを有する。そして、前記底板９は、平面視で楕円状に形成されており、前記ケース本体２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を水密に封ずるように設けられている。そして、前記電動式ブラシ装置本体２の内部には、前記基板４の中央部を上下方向に往復動させる往復駆動手段１２が設けられている。この往復駆動手段１２は、駆動源としてのモータ１３と、このモータ１３のモータ軸１３Ａに減速歯車機構１４を介して接続されるクランク１５と、このクランク１５の偏心軸１５Ａと結合したヨーク１６と、このヨーク１６と一体に形成されたロッド１６Ａを備えている。このように、本実施例では、所謂スコッチ・ヨーク機構を採用したが、クランク機構を採用しても良い。なお、前記覆い体１１のほぼ中央には、接続中継部材１７が一体的に取り付けられている。この接続中継部材１７は、その上面側と前記ロッド１６Ａの下端とで前記覆い体１１を挟持して固定すると共に、その下面側にフック１７Ａが設けられており、このフック１７Ａに、前記基板４中央の上面に設けられたフック受け部４Ｂが着脱自在に接続されている。従って、前記接続中継部材１７は、前記モータ１３の回転運動が前記クランク１５とヨーク１６とで往復運動に変換されることで、上下方向に往復運動するようになっている。これにより、前記フック受け部４Ｂが設けられた位置が、前記基板４における最大振幅部となり、その振幅は、前記クランク１５の中心軸から前記偏心軸１５Ａまでの偏心距離Ｆの２倍（２Ｆ）となる。また、前記フック受け部４Ｂ及び接続中継部材１７を通って上下方向に仮想的な中心軸線Ｘが形成される。また、前記電動式ブラシ装置本体２の内部には、前記モータ１３に電力を供給するための電池１８が設けられていると共に、前記電動式ブラシ装置本体２の上面側表面には、前記モータ１３を操作するためのスイッチ１９が設けられている。
【００１７】
前記ブラシ部３について詳述する。前記各突起５は、それぞれやや先細で且つ先端が丸められた細長く真っ直ぐな棒状に形成されている。また、前記各突起５は、前記基部４よりも硬い材質によって、前記基部４とは別体に形成されている。そして、前記各突起５は、それぞれ前記基板４に複数形成された貫通孔２０に嵌合している。これらの貫通孔２０は、前記基板４のほぼ中央を上下に通る仮想的な前記中心軸線Ｘを中心として、前記基板４の縁４Ａに沿って配置される楕円状の仮想外側輪線Ｏと、その内側に配置される楕円状の仮想中間輪線Ｍ１と、その内側に配置される楕円状の仮想中間輪線Ｍ２と、その内側に配置される楕円状の仮想内側輪線Ｉに沿って形成されている。なお、前記仮想外側輪線Ｏに沿って取り付けられた前記突起５の群が第一突起列２１、前記仮想中間輪線Ｍ１に沿って取り付けられた前記突起５の群が第二突起列２２、前記仮想中間輪線Ｍ２に沿って取り付けられた前記突起５の群が第三突起列２３、前記仮想内側輪線Ｉに沿って取り付けられた前記突起５の群が第四突起列２４となり、これらの突起列２１〜２４は、前記中心軸線Ｘを中心として同心状に並設される。そして、本例では、前記第一突起列２１に属する前記突起５は４６本、前記第二突起列２２に属する前記突起５は４６本、前記第三突起列２３に属する前記突起５は２２本、前記第四突起列２４に属する前記突起５は１６本設けられている。また、前記各突起列２１〜２４に属する突起５同士は、全て同一形状である。
【００１８】
前記第一突起列２１に属する突起５の中心軸線Ｙ１は、前記仮想外側輪線Ｏを通っており、これら第一突起列２１に属する複数の突起５はそれぞれ第一間隔Ｌ１を有して配置されている。同様に、前記第三突起列２３に属する突起５の中心軸線Ｙ３は、前記仮想中間輪線Ｍ２を通っており、これら第三突起列２３に属する複数の突起５はそれぞれ第三間隔Ｌ３を有して配置されている。また、前記第四突起列２４に属する突起５の中心軸線Ｙ４は、前記仮想内側輪線Ｉを通っており、これら第四突起列２４に属する複数の突起５はそれぞれ第四間隔Ｌ４を有して配置されている。一方、前記第二突起列２２に属する突起５は、前記仮想中間輪線Ｍ１に沿って第二間隔Ｌ２を有して配置されているものの、これらの突起５は、前記仮想中間輪線Ｍ１の長径両端近傍を除いて、前記仮想中間輪線Ｍ１の内側と外側に交互に配置されている。即ち、前記第二突起列２２に属する突起５は、前記仮想中間輪線Ｍ１を跨いでジグザグに配置されている。従って、前記第二突起列２２に属する突起５は、中心軸線Ｙ２が前記仮想中間輪線Ｍ１の外側を通る突起５Ａと、中心軸線Ｙ´２が前記仮想中間輪線Ｍ１の内側を通る突起５Ｂとを有しており、これらの突起５Ａ，５Ｂが交互に設けられている。
【００１９】
更に、前記基板４には、前記電動式ブラシ装置本体２とブラシ部３とで囲まれる領域の内外を連通する小貫通孔状の第一連通部２５及び第二連通部２６が設けられる。なお、前記第二連通部２６は、前記小突起６と環状壁７とで囲まれた区域に形成されている。一方、前記第一連通部２５は、前記小突起６と環状壁７の外側の区域に形成されている。
【００２０】
そして、前記電動式ブラシ装置本体２とブラシ部３とで囲まれる領域には、前記連通部２５，２６に連通すると共に前記基板４の撓みに応動するシャンプーの収容体２７が設けられる。この収容体２７は、前記基板４の撓みに応動して圧縮及び復元を繰り返すことで、前記シャンプーを前記各連通部２５，２６から吸引したり吐出したりさせるようになっている。なお、前記収容体２７は、実施例では弾性体である連続気泡型の発泡ポリウレタンや発泡ゴム等から成る合成スポンジ或いは海綿（天然スポンジ）等によって形成されており、図２に示すように、前記基板４が下に撓んだ湾曲凸状態のときに、前記収容体２７はほぼ非圧縮状態或いはやや圧縮状態となって、前記底面部２Ｂと基板４の上面との間に介在している。即ち、前記基板４が下に撓んだ湾曲凸状態のときに、前記収容体２７の上面２７Ａは前記底面部２Ｂに接するか或いは近接し、前記収容体２７の下面２７Ｂは前記基板４の上面に接するか或いは近接し、更に前記収容体２７の外周２７Ｃは前記枠体８に接するか或いは近接している。一方、前記収容体２７の中心部には、前記中心軸線Ｘに沿って貫通孔２７Ｄが形成されている。そして、この貫通孔２７Ｄを通して、前記フック受け部４Ｂと前記フック１７Ａが接続できるように構成されている。
【００２１】
次に、前記構成について、その作用を説明する。頭皮Ｓを洗浄したりマッサージしたりする場合、まず使用者は、予め前記収容体２７に適量の水を含ませておく。なお、水は前記電動式ブラシ装置１を水に浸けることで、前記各連通部２５，２６を介して前記収容体２７に吸収される。そして、前記基板４の表面４Ｓを上向きとし、前記小突起６と環状壁７で囲まれた区域に適量のシャンプーを乗せる。この際、前記小突起６と環状壁７で囲まれた区域に乗せられた前記シャンプーは、過剰に乗せない限り、前記小突起６と環状壁７の外側の区域に流れ出すことはない。そして、少量のシャンプーは、前記第二連通部２６から前記収容体２７側に染み込む。
【００２２】
次に、前記スイッチ１９を操作すると、前記電池１８から電力が給電されることで、前記モータ１３が作動して前記モータ軸１３Ａが回転する。この回転に伴い、前記モータ軸１３Ａに前記減速歯車機構１４を介して接続された前記クランク１５が回転し、このクランク１５及びこのクランク１５の偏心軸１５Ａと結合した前記ヨーク１６によって、前記モータ軸１３Ａの回転運動が往復運動に変換され、前記ヨーク１６と一体に形成されたロッド１６Ａの下端に取り付けられた前記接続中継部材１７が上下に往復動する。そして、前記基板４は、前記接続中継部材１７に設けられた前記フック１７Ａに接続された前記フック受け部４Ｂ、即ち、前記基板４の中央が最大振幅箇所となるように、従来技術と同様に下に撓んだ湾曲凸状態と上に撓んだ湾曲凹状態との間で変形を繰り返し、その前記最大振幅個所における振幅は、前記クランク１５の中心軸から偏心軸１５Ａまでの偏心距離Ｆの２倍（２Ｆ）となる。
【００２３】
このように、前記基板４が下に撓んだ湾曲凸状態と上に撓んだ湾曲凹状態との間で変形を繰り返すことで、前記基板４と底面部２Ｂの間の空間が圧縮、復元を繰り返すことになり、この結果、前記収容体２７は前記基板４の撓みに応動して圧縮、復元を繰り返す。そして、前記収容体２７が圧縮状態から復元する際に、前記基板４と底面部２Ｂの間の空間が減圧状態となることで、前記環状小突起６と環状壁７の内側区域に乗せられた前記シャンプーが前記第二連通部２６から吸引されて前記空間内に流入し、前記収容体２７に収容される。逆に、前記収容体２７が圧縮される際に、この収容体２７に収容された前記シャンプーは、前記第二連通部２６より噴出されることとなる。なお、前記シャンプーは、前記第二連通部２６を通して押し出される際に空気と混じり合うことで泡立つ。そして、このように前記収容体２７の変形が繰り返されることで、前記シャンプーが徐々に前記収容体２７の中央から外周側に広がってゆき、これによって、前記第一連通部２５からも、泡立てられた前記シャンプーが押し出されることになる。このように、湾曲凸状態と湾曲凹状態との間で繰り返される前記基板４の変形に応動して前記収容体２７が圧縮、復元を繰り返すことで、前記小突起６及び環状壁７の内側区域に乗せられた前記シャンプーは、泡立てられて、前記ブラシ部３全体から外部に供給される。なお、前記シャンプーは、前記連通部２５，２６を通過する際に細かく泡立てられることになる。そして、前記シャンプーは、前記連通部２５，２６の孔の径が小さい程、細かく泡立てられることになる。
【００２４】
このように、前記シャンプーが泡立てられた状態で、使用者は、前記電動式ブラシ装置本体２を把持し、前記突起５の先端部を前記頭皮Ｓに押し当てて手で保持する。これにより、主として前記突起５は、前記中心軸線Ｘを中心としてその内側方向に傾斜したり、或いはその後起立したりすることを繰り返すことで、前記頭皮Ｓを擦って洗浄したり、刺激を与えてマッサージしたりすることができる。この際、前述したように、前記突起５が前記基板４とは別体に形成されており、前記突起５を前記基板４に形成された貫通孔２０に嵌め込んで取り付けていることで、前記突起５が細長い棒状であることとも相まって、前記突起５が前記基板４の撓みに及ぼす影響を最小限に抑えることができる。この点について詳述する。従来のように、基板１０３に突起１０４〜１０７が一体に設けられている場合、基板１０３が内側から外側に向かって、或いは外側から内側に向かって撓んでゆき、撓みが何れかの突起１０４〜１０７に達すると、突起１０４〜１０７が設けられている部位は、突起１０４〜１０７が変形防止リブのような作用をすることで剛性が高くなっているので、基板１０３の撓みが阻害される。この問題は、特許文献１のような太い突起を有する場合に顕著である。このような突起１０４〜１０７を有する基板１０３を撓ませると、突起１０４〜１０７が形成された変形しにくい部位を変形させるために余計なエネルギーを消費し、効率が悪くなる虞がある。また、基板１０３の撓みが阻害されることで、突起１０４〜１０７の首振り角度が小さくなる虞もある。しかしながら、前述したように、本例では、細長い棒状に形成された前記突起５を、前記基板４の貫通孔２０に嵌め込んでいるので、前記突起５が変形防止リブのような作用をせず、前記突起５が設けられた部位の剛性が特別高くなっているわけではない。従って、前記突起５が前記基板４の撓みに及ぼす悪影響を最小限に抑えることができるので、前記突起５の首振り角度が小さくなることもない。また、前記突起５が前記基板４の貫通孔２０に嵌合していることで、前記突起５が頭皮Ｓに当接した有負荷状態では、前記突起５の動きは、前記基板４の撓みに対してやや遅れて動くので、比較的硬い突起５でありながら、頭皮Ｓに対してソフトに刺激を与えることができる。
【００２５】
そして、図６（湾曲凸状態）における前記第一突起列２１に属する前記突起５の中心軸線Ｙ１と、図７（湾曲凹状態）における中心軸線Ｙ１の角度差（即ち首振り角度）は、比較的小さい。また、図６（湾曲凸状態）における前記第三突起列２３に属する前記突起５の中心軸線Ｙ３と、図７（湾曲凹状態）における中心軸線Ｙ３の角度差（即ち首振り角度）は、Ｙ１のそれよりも大きいものの、比較的小さい。これに対し、図６（湾曲凸状態）における前記第二突起列２２に属する前記突起５Ａの中心軸線Ｙ２及び突起５Ｂの中心軸線Ｙ´２と、図７（湾曲凹状態）における中心軸線Ｙ２及びＹ´２の角度差（即ち首振り角度）は、何れもＹ１及びＹ３のそれよりも大きい。なお、図６及び図７では、前記第四突起列２４に属する突起５、前記小突起６、及び前記環状壁７は省略したが、念のため、前記第四突起列２４に属する前記突起５の首振り角度は、前記第三突起列２３に属する前記突起５の首振り角度よりも小さく、また、前記小突起６及び環状壁７は殆ど首振り運動しない。従って、本例では、最も大きく首振り運動するのは、前記第二突起列２２に属する前記突起５であり、その他の突起列２１，２３，２４に属する前記突起５は、比較的小さく首振り運動する。このため、最も洗浄或いはマッサージの効果が大きいのは、前記第二突起列２２に属する前記突起５であり、その他の突起列２１，２３，２４に属する前記突起５による洗浄或いはマッサージの効果は、比較的小さい。そして、前述したように、前記第一突起列２１に属する前記突起５と、前記第二突起列２２に属する前記突起５は同数設けられている。ここで、前記仮想外側輪線Ｏと仮想中間輪線Ｍ１は、前記中心軸線Ｘを中心として同心状であると共に、前記仮想外側輪線Ｏが仮想中間輪線Ｍ１の外側にあるので、前記仮想外側輪線Ｏは仮想中間輪線Ｍ１よりも長い。従って、前記第二突起列２２に属する前記突起５の密度は、前記第一突起列２１に属する前記突起５の密度よりも大きい。一方、前記仮想中間輪線Ｍ２と仮想内側輪線Ｉは、それぞれ前記仮想中間輪線Ｍ１よりも短いものの、第三突起列２３及び第四突起列２４に属する前記突起５の数が前記第三突起列２２に属する前記突起５の数よりも少なく、この結果、前記第三突起列２３及び第四突起列２４に属する前記突起５の密度は、前記第二突起列２２に属する前記突起５の密度よりも小さい。即ち、比較的洗浄或いはマッサージ効果の高い前記第二突起列２２に属する前記突起５の密度が、比較的洗浄或いはマッサージ効果の低い他の突起列２１，２３，２４に属する前記突起５の密度よりも大きくされていることで、前記突起５の数を必要以上に増やすことなく、頭皮Ｓの洗浄或いはマッサージ効果を高めることができる。
【００２６】
なお、前述したように、前記仮想外側輪線Ｏが仮想中間輪線Ｍ１よりも長いので、前記仮想外側輪線Ｏ上に設けられた前記突起５と同数、或いはそれ以上の数の突起（仮想的に突起２９で表す）を前記仮想中間輪線Ｍ１上に設けた場合、これらの突起２９間の距離が狭くなるので、前記ブラシ部３を頭皮Ｓに押し当てたまま頭皮Ｓに沿って動かす際に、前記突起２９間において図示しない毛髪等の通りが悪くなる虞がある。しかしながら、本例では、前述したように、前記第二突起列２２に属する前記突起５を、交互に、前記仮想中間輪線Ｍ１の外側（前記突起５Ａ）と内側（前記突起５Ｂ）に設けたことで、前記突起５Ａと突起５Ｂとの距離（前記第二間隔Ｌ２）を大きくすることができるので、前記第二突起列２２において毛髪等の通りが悪くなることを防止することができる。
【００２７】
上述のように、前記突起５を用いて前記頭皮Ｓのマッサージが行われると同時に、細かく泡立てられた前記シャンプーを用いて、前記頭皮Ｓや毛髪が洗浄される。この際、使用者が掌を用いて泡立てた場合よりも細かく泡立てられた前記シャンプーを用いて洗髪やマッサージを行うことができるので、毛髪や頭皮Ｓを効果的に洗浄することができるばかりでなく、前記ブラシ部３の突起５等との摩擦から毛髪等を確実に保護することができる。
【００２８】
以上のように、前記実施例は、可撓性を有する基板４とこの基板４の表面４Ｓと交差するように基板４に設けられた複数の突起５から成るブラシ部３を、駆動部としての電動式ブラシ装置本体２の枠体８及び前記電動式ブラシ装置本体２内の往復駆動手段１２に、前記電動式ブラシ装置本体２に対する位置関係が固定された状態で着脱自在に保持させ、前記基板４の中央に接続した前記往復駆動手段１２によって、前記基板４をその表面４Ｓと交差する方向に繰り返し撓ませることで、前記各突起５を相互に繰り返し開閉させて、これらの突起５によって頭皮Ｓ等を洗浄又はマッサージする電動式ブラシ装置１であって、最も首振り角度が大きくなる突起群である第二突起列２２に属する前記突起５の密度を、他の同心状に設けられた突起群である突起列２１，２３，２４に属する前記突起５の密度よりも大きくしたことで、必要以上に前記突起５を増やすことなく、頭皮Ｓの洗浄或いはマッサージ効果を高めることができるものである。
【００２９】
また、前記基部４の中心軸線Ｘ回りに定義された仮想中間輪線Ｍ１に沿って設けられた、首振り角度が比較的大きい第二突起列２２に属する前記突起５を、前記仮想中間輪線Ｍ１に沿ってその外側と内側に突起５Ａと突起５Ｂを交互に設けることで、単純に仮想中間輪線Ｍ１上に突起２９を並べる場合に比べて、前記突起５（５Ａ，５Ｂ）の数を多くしつつ、前記突起５Ａと突起５Ｂとの距離（前記第二間隔Ｌ２）を比較的大きくすることができるので、前記ブラシ体３を頭皮Ｓに沿って動かした際に、前記第二突起列２２において毛髪等の通りが妨げられることを防止することができるものである。
【００３０】
更に、前記基板４の貫通孔２０に対し、棒状の前記突起５が嵌合していることで、前記各突起５が前記基板４の撓みに与える影響を最小限にすることができるので、密に設けられた前記第二突起列２２の前記突起５（５Ａ，５Ｂ）を、大きな角度で確実に首振り運動させ、洗浄やマッサージ効果を向上させることができるものである。
【産業上の利用可能性】
【００３１】
以上のように本発明に係る電動式ブラシ装置は、以上の実施例に限定されるものではなく、発明の要旨の範囲内で種々の変形実施が可能である。例えば、上記実施例では、頭皮等の洗浄及びマッサージに使用可能な電動式ブラシ装置について述べたが、人体のあらゆる箇所に対して使用可能なマッサージ装置に適用しても良い。
【符号の説明】
【００３２】
１  電動式ブラシ装置
２  電動式ブラシ装置本体（駆動部）
３  ブラシ部
４  基板
４Ｓ  表面
５  突起
８  枠体
１２  往復駆動手段
２１  第一突起列（突起群）
２２  第二突起列（突起群）
２３  第三突起列（突起群）
２４  第四突起列（突起群）
Ｉ  仮想内側輪線
Ｍ１，Ｍ２  仮想中間輪線
Ｏ  仮想外側輪線
【図１】
2010167048.tif 000003
【図２】
2010167048.tif 000004
【図３】
2010167048.tif 000005
【図４】
2010167048.tif 000006
【図５】
2010167048.tif 000007
【図６】
2010167048.tif 000008
【図７】
2010167048.tif 000009
【図８】
2010167048.tif 000010
【図９】
2010167048.tif 000011